(57)【要約】【課題】本発明は、高い強度及び剛性を持つフロントカバー及びそれを用いた携帯型電子デバイスを提供する。【解決手段】本発明に係るフロントカバーは、ハウジング及び表示ウィンドウユニットを備え、前記ハウジングに開口が開設され、前記表示ウィンドウユニットは、透明な支持板及び液晶ディスプレイアセンブリを備え、前記支持板は、デュアル射出成形によって、前記ハウジングの開口内に一体に成型され、前記液晶ディスプレイアセンブリは、前記支持板に取付けられる。本発明は、さらに前記フロントカバー用いた携帯型電子デバイスに関する。【選択図】図４
2012234171.tif 000002
【特許請求の範囲】
【請求項１】
ハウジング及び表示ウィンドウユニットを備えるフロントカバーにおいて、
前記ハウジングに開口が開設され、
前記表示ウィンドウユニットは、透明な支持板及び液晶ディスプレイアセンブリを備え、
前記支持板は、デュアル射出成形によって、前記ハウジングの開口内に一体に成型され、
前記液晶ディスプレイアセンブリは、前記支持板に取付けられることを特徴とするフロントカバー。
【請求項２】
前記ハウジングは、さらに装飾部材を備え、前記装飾部材は、前記ハウジングの開口を囲んで設置された後、前記ハウジングの表面に接着されることを特徴とする請求項１に記載のフロントカバー。
【請求項３】
本体及び前記本体に取付けられるフロントカバーを備え、前記フロントカバーは、ハウジング及び表示ウィンドウユニットを備える携帯型電子デバイスにおいて、
前記ハウジングに開口が開設され、
前記表示ウィンドウユニットは、透明な支持板及び液晶ディスプレイアセンブリを備え、
前記支持板は、デュアル射出成形によって、前記ハウジングの開口内に一体に成型され、
前記液晶ディスプレイアセンブリは、前記支持板に取付けられることを特徴とする携帯型電子デバイス。
【発明の詳細な説明】
【技術分野】
【０００１】
本発明は、フロントカバーに関し、特に携帯型電子デバイスに用いられるフロントカバーに関するものである。
【背景技術】
【０００２】
携帯電話、パーソナルデジタルアシスタント（ＰＤＡ）及びハンドヘルドコンピューターなどの従来の携帯型電子デバイスは、一般的に本体及び前記本体に設置されるフロントカバーを備える。図１に示すように、フロントカバー２００は、ハウジング２２０及び表示ウィンドウユニット２４０を備える。前記ハウジング２２０には、その上表面及び下表面を貫通する開口２２２が開設されている。前記表示ウィンドウユニット２４０は、支持板２４２及び前記支持板２４２に貼設される液晶ディスプレイアセンブリ２４４を備える。前記液晶ディスプレイアセンブリ２４４は、画像／映像或いは文字などを表示することに用いられる。前記支持板２４２は、接着剤によって、前記ハウジング２２０に固定され、前記液晶ディスプレイアセンブリ２４４は、前記ハウジング２２０の開口２２２内に取付けられる。
【０００３】
しかし、前記フロントカバー２００は、前記ハウジング２２０に開口２２２が開設されているため、前記ハウジング２２０の強度及び剛性が低い。さらに、前記表示ウィンドウ２４０は該ハウジング２２０に接着されるため、フロントカバー２００の強度及び剛性も低い。
【発明の概要】
【発明が解決しようとする課題】
【０００４】
前記課題を解決するために、本発明は、高い強度及び剛性を持つフロントカバー及びそれを用いた携帯型電子デバイスを提供する。
【課題を解決するための手段】
【０００５】
本発明に係るフロントカバーは、ハウジング及び表示ウィンドウユニットを備え、前記ハウジングに開口が開設され、前記表示ウィンドウユニットは、透明な支持板及び液晶ディスプレイアセンブリを備え、前記支持板は、デュアル射出成形によって前記ハウジングの開口内に一体に成型され、前記液晶ディスプレイアセンブリは、前記支持板に取付けられる。
【０００６】
本発明に係る携帯型電子デバイスは、本体及び前記本体に取付けられるフロントカバーを備え、前記フロントカバーは、ハウジング及び表示ウィンドウユニットを備え、前記ハウジングに開口が開設され、前記表示ウィンドウユニットは、透明な支持板及び液晶ディスプレイアセンブリを備え、前記支持板は、デュアル射出成形によって、前記ハウジングの開口内に一体に成型され、前記液晶ディスプレイアセンブリは、前記支持板に取付けられる。
【発明の効果】
【０００７】
従来の技術と比べて、本発明に係るフロントカバーにおいて、支持板とハウジングは、デュアル射出成形によって一体に成型され、支持板は、ハウジングの開口内に一体に形成されるので、フロントカバーの強度及び剛性が向上する。
【図面の簡単な説明】
【０００８】
【図１】従来のフロントカバーの分解図である。
【図２】本発明の実施形態に係るフロントカバーの分解図である。
【図３】図２に示した本発明の実施形態に係るフロントカバーの斜視図である。
【図４】図３に示したフロントカバーのＩＶ―ＩＶに沿った断面図である。
【発明を実施するための形態】
【０００９】
以下、図面を参照して、本発明の実施形態について説明する。
【００１０】
図２を参照すると、前記携帯型電子デバイス１００は、本体（図示せず）及び前記本体に取付けられるフロントカバー１０を備える。前記フロントカバー１０は、ハウジング１２と、前記ハウジング１２の表面に固定される表示ウィンドウユニット１４と、前記ハウジング１２の表面に対向する面に固定される装飾部材１６と、前記ハウジング１２の一端に形成されるヒンジバレル１８と、を備える。前記表示ウィンドウユニット１４は、支持板１４２及び前記支持板１４２に固定される液晶ディスプレイアセンブリ１４４を備える。前記支持板１４２は、前記ハウジング１２と一体に成型され且つ前記液晶ディスプレイアセンブリ１４４を支持する。本実施形態において、前記支持板１４２は、透明なポリカーボネートからなり、前記液晶ディスプレイアセンブリ１４４は、表示機能且つタッチ機能を持つ電子光学部品からなる。
【００１１】
図３及び図４を参照すると、前記ハウジング１２は、前記ポリカーボネート及びガラス繊維からなり、第一表面１２２及び前記第一表面１２２と対向する第二表面１２４を備える。前記ハウジング１２のおよそ中間には、前記第一表面１２２及び前記第二表面１２４を貫通する開口１２６が開設されている。前記支持板１４２は、デュアル射出成形によって前記ハウジング１２の開口１２６内に一体に成型される。前記支持板１４２の底面は、前記ハウジング１２の前記第二表面１２４と同一平面上に位置する。
【００１２】
前記装飾部材１６は、前記ハウジング１２の前記開口１２６の周囲に位置するフレームであり、接着剤によって、前記ハウジング１２の前記第二表面１２４に接着される。前記装飾部材１６は金属によって形成され、前記ハウジング１２の外観及び強度を向上させる。
【００１３】
前記フロントカバー１０の製造方法は、下記のステップを備える。先ず、前記ハウジング１２及び前記支持板１４２を形成する射出成形金型（図示せず）を提供し、２つの異なる溶融材料を前記射出成形金型のダイチャンバー内に注入して、射出成形した後、前記支持板１４２が、前記ハウジング１２の開口１２６内に一体に成型される。その後、前記液晶ディスプレイアセンブリ１４４を前記支持板１４２に接着する。最後に、前記装飾部材１６を前記ハウジング１２の前記開口１２６を囲むように設置した後、前記ハウジング１２の前記第二表面１２４に接着させる。
【００１４】
従来のフロントカバーと比べると、本発明のフロントカバー１０において、前記支持板１４２と前記ハウジング１２とは、デュアル射出成形によって一体成型されるので、その表面を貫通する開口を持たない。従って、前記フロントカバー１０の強度及び剛性は強い。また、該一体成型により、前記フロントカバー１０の厚みもさらに薄くすることができる。
【符号の説明】
【００１５】
１００  携帯型電子デバイス
１０、２００  フロントカバー
１２、２２０  ハウジング
１４、２４０  表示ウィンドウユニット
１６  装飾部材
１８  ヒンジバレル
１２２  第一表面
１２４  第二表面
１２６、２２２  開口
１４２、２４２  支持板
１４４、２４４  液晶ディスプレイアセンブリ
【図１】
2012234171.tif 000003
【図２】
2012234171.tif 000004
【図３】
2012234171.tif 000005
【図４】
2012234171.tif 000006